(57)【要約】【課題】  エッチング液の流れを制御するガイドロッドを、ローラー部材の間に設置することにより、前記従来の浸漬式回路板エッチング装置の欠点を改善し、回路板の銅箔に均一なエッチングを施すことができる浸漬式回路板エッチング装置を提供する。【解決手段】  エッチングタンクと、複数のローラー部材と、複数の噴出装置と、複数のガイドロッドとからなり、前記エッチングタンクには、エッチング液が入れられ、該各噴出装置には、複数のノズルが設けられる浸漬式回路板エッチング装置であって、前記上段における各ローラー部材の間に所定の距離離間する２つのガイドロッドが設けられ、該各ガイドロッドは、下段のローラー部材の近傍に位置し、また、前記下段の各ローラー部材の間に所定の距離離間する２つのガイドロッドが設けられ、該各ガイドロッドは、上段のローラー部材の近傍に位置することを特徴とする。【選択図】  図１
0003138771.tif 000002
【実用新案登録請求の範囲】
【請求項１】
エッチングタンクと、複数のローラー部材と、複数の噴出装置と、複数のガイドロッドとからなり、
前記エッチングタンクには、入口と出口とを有すると共に、エッチング液が入れられ、
前記複数のローラー部材は、上段と下段とからなる二段構造であり、前記エッチングタンクの内部中段に横方向に配設され、又、該各ローラー部材には、複数のローラーが所定の間隔で配置され、
前記複数の噴出装置は夫々上段のローラー部材の上部と、前記下段のローラー部材の下部に、所定の間隔で設置され、又、該各噴出装置には、複数のノズルが所定の間隔で設けられ、該各ノズルの開口は、前記各ローラー部材の間に向くように設計され、
前記エッチングタンクの内部にあるエッチング液の液面が上段の噴出装置のノズルより高い浸漬式回路板エッチング装置であって、
前記上段における各ローラー部材の間に所定の距離離間する２つのガイドロッドが設けられ、該各ガイドロッドは、下段のローラー部材の近傍に位置し、また、前記下段の各ローラー部材の間に所定の距離離間する２つのガイドロッドが設けられ、該各ガイドロッドは、上段のローラー部材の近傍に位置することを特徴とする浸漬式回路板エッチング装置。
【請求項２】
前記各噴出装置が各ローラー部材の軸方向と平面視で直交となるように設置されていると共に、前記噴出装置において前記ノズルがそれぞれ傾斜状に設けられることを特徴とする請求項１に記載の浸漬式回路板エッチング装置。
【請求項３】
前記各噴出装置が、それと相隣するローラー部材の間で、各ローラー部材の軸方向と平行となるように設置されていると共に、前記噴出装置において前記ノズルがそれぞれ傾斜状に設けられることを特徴とする請求項１に記載の浸漬式回路板エッチング装置。
【請求項４】
前記各噴出装置によりノズルが揺動することを特徴とする請求項２に記載の浸漬式回路板エッチング装置。
【請求項５】
前記エッチングタンクの入口及び出口にそれぞれ２つの漏れ防止ローラーが設けられることを特徴とする請求項３又は請求項４に記載の浸漬式回路板エッチング装置。
【考案の詳細な説明】
【技術分野】
【０００１】
本考案は、特にエッチング液の流れを制御し、回路板における銅箔に対して均一にエッチングを施すことができる浸漬式回路板エッチング装置に関するものである。
【背景技術】
【０００２】
一般に回路板に回路を形成するときは、先ず基板上に一層の銅箔を貼り付け、その上から写真蝕刻を施して銅箔にフォトレジストからなる保護層を形成し、更に、保護層により保護されていない銅箔をエッチング液によりエッチングして、最後に保護層を剥がし、基板に回路のパターンを成す銅箔を露出させる。
【０００３】
従来の浸漬式回路板エッチング装置は、例えば、台湾実用新案登録第89212368号「薄膜銅エッチング機械」、又は台湾実用新案登録第95221546号「浸漬式エッチング装置」に示すように、エッチング液を有するエッチングタンクの内部に、上段と下段とからなる二段構造を構成する複数のローラー部材が横方向に設置され、該各ローラー部材には、複数のローラーが所定の間隔で設けられることにより、前記上段の複数のローラーと下段の複数のローラーとの間に、エッチングされる回路板を挟持しながら移動させて、該回路板にエッチングを施すものである。  
又、前記各ローラー部材の間に所定の間隔で複数の噴出装置が設けられ、該各噴出装置に複数のノズルが所定の間隔で設けられる。
尚、前記エッチングタンク内のエッチング液の液面は、上段の噴霧装置のノズルより高いので、ノズルから回路板へエッチング液を噴出する時、エッチングタンク内のエッチング液を流動させることにより、保護層で保護されていない銅箔にエッチングを施し、基板に回路パターンを形成することができる。
【考案の開示】
【考案が解決しようとする課題】
【０００４】
しかしながら、前記従来の浸漬式回路板エッチング装置は、回路板の銅箔を均一にエッチングすることができないという欠点があった。  
また、図５に示すように、従来の浸漬式回路板エッチング装置は、２本のローラー部材（６０）の間に設置された噴出装置（７０）の先端に設けられるノズル（７１）からエッチング液が噴出するが、エッチングタンクの内部におけるエッチング液が流動する時、そのエッチング液の流れがかなり乱れてしまう。これにより、前記回路板には、液体の、強い圧力を受ける部分と、弱い圧力を受ける部分とができ、前記軽い圧力を受けた部分の銅箔は、しっかりとエッチングされないので、エッチング工程が完了しても不要な銅箔が回路板に残ってしまう。一方、強い圧力を受けた部分の銅箔は、必要以上のエッチングが施される恐れがあり、このうような過度のエッチングが施された部分は、回路の線路が細くなり、構造的に強度不足となるだけでなく、電流が流れると、予想以上の発熱が生じ、この後の工程において線路が破断する可能性があったので、このような欠点の改善が強く望まれていた。
【０００５】
そこで、案出されたのが本考案であって、前記従来の浸漬式回路板エッチング装置の欠点を改善し、エッチング液の流れを制御し、回路板の銅箔を均一にエッチングすることができる浸漬式回路板エッチング装置を提供することを目的としている。
【課題を解決するための手段】
【０００６】
本願の請求項１の考案は、エッチングタンクと、複数のローラー部材と、複数の噴出装置と、複数のガイドロッドとからなり、  
前記エッチングタンクには、入口と出口とを有すると共に、エッチング液が入れられ、
前記複数のローラー部材は、上段と下段とからなる二段構造であり、前記エッチングタンクの内部中段に横方向に配設され、又、該各ローラー部材には、複数のローラーが所定の間隔で配置され、
前記複数の噴出装置は夫々上段のローラー部材の上部と、前記下段のローラー部材の下部に、所定の間隔で設置され、又、該各噴出装置には、複数のノズルが所定の間隔で設けられ、該各ノズルの開口は、前記各ローラー部材の間に向くように設計され、  
前記エッチングタンクの内部にあるエッチング液の液面が上段の噴出装置のノズルより高い浸漬式回路板エッチング装置であって、  
前記上段における各ローラー部材の間に所定の距離離間する２つのガイドロッドが設けられ、該各ガイドロッドは、下段のローラー部材の近傍に位置し、また、前記下段の各ローラー部材の間に所定の距離離間する２つのガイドロッドが設けられ、該各ガイドロッドは、上段のローラー部材の近傍に位置することを特徴とする浸漬式回路板エッチング装置、を提供する。
【０００７】
本願の請求項２の考案は、前記各噴出装置が各ローラー部材の軸方向と平面視で直交となるように設置されていると共に、前記噴出装置において前記ノズルがそれぞれ傾斜状に設けられることを特徴とする請求項１に記載の浸漬式回路板エッチング装置、を提供する。
【０００８】
本願の請求項３の考案は、前記各噴出装置が、それと相隣するローラー部材の間で、各ローラー部材の軸方向と平行となるように設置されていると共に、前記噴出装置において前記ノズルがそれぞれ傾斜状に設けられることを特徴とする請求項１に記載の浸漬式回路板エッチング装置、を提供する。
【０００９】
本願の請求項４の考案は、前記各噴出装置によりノズルが揺動することを特徴とする請求項２に記載の浸漬式回路板エッチング装置、を提供する。
【００１０】
本願の請求項５の考案は、前記エッチングタンクの入口及び出口にそれぞれ２つの漏れ防止ローラーが設けられることを特徴とする請求項３又は請求項４に記載の浸漬式回路板エッチング装置、を提供する。
【考案の効果】
【００１１】
本考案は上記の課題を解決するものであり、エッチング液の流れを制御するガイドロッドをローラー部材の間に設置することにより、前記従来の浸漬式回路板エッチング装置の欠点を改善し、回路板の銅箔を均一にエッチングする。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る浸漬式回路板エッチング装置の第１実施例の側面断面図であり、図２は本考案に係る浸漬式回路板エッチング装置の第２実施例の側面断面図であり、図３は本考案に係る浸漬式回路板エッチング装置の第２実施例の部分側面断面図であり、図４は本考案に係る浸漬式回路板エッチング装置の第１実施例の部分平面図である。
【００１４】
図１に示すように、本考案に係る浸漬式回路板エッチング装置の第１実施例は、エッチングタンク（１０）と、複数のローラー部材（２０）と、複数の噴出装置（３０）と、複数のガイドロッド（４０）とからなる。
【００１５】
前記エッチングタンク（１０）には、エッチング液（符号なし）が入れられると共に、その長手方向における両側に夫々、入口（１１）と出口（１２）とを有し、さらに、その入口（１１）と出口（１２）には夫々、該エッチング液の入口（１１）または出口（１２）からの漏れを防止するための２つの漏れ防止ローラー（１３）が設けられる。
【００１６】
前記複数のローラー部材（２０）は、上段と下段とからなる二段構造であり、前記エッチングタンク（１０）の内部に、長手方向と直交するように横方向に配設され、又、該各ローラー部材（２０）に複数のローラー（２１）が所定の間隔で配置されるので、該上段の複数のローラー（２１）と下段の複数のローラー（２１）とにより、これからエッチングを施す回路板（５０）を挟持して移送することができる。
【００１７】
前記複数の噴出装置（３０）は夫々上段のローラー部材（２０）の上部と、前記下段のローラー部材（２０）の下部に、所定の間隔で設置され、又、該各噴出装置（３０）には、複数のノズル（３１）が所定の間隔で設けられ、該各ノズル（３１）の開口は、各ローラー部材（２０）の間に向くように設計されている。尚、本実施例においては、前記各噴出装置（３０）が各ローラー部材（２０）の軸方向と平面視で直交となるように配置される。
【００１８】
前記エッチングタンク（１０）の内部に入っているエッチング液の液面（符号なし）は、上段の噴出装置（３０）のノズル（３１）よりも高く、該各噴出装置（３０）は、傾斜状に設けられるノズル（３１）をスイング、つまり揺動させることができ、更に、前記エッチング液がノズル（３１）から噴出される方向は、前記ローラー部材（２０）と対応する。
【００１９】
更に、図２乃至図４に示すように、本考案に係る浸漬式回路板エッチング装置の第２実施例では、前記上段の各ローラー部材（２０）の間にそれぞれ所定の距離離間する２つのガイドロッド（４０）が設けられると共に、該各ガイドロッド（４０）は、下段のローラー部材（２０）の近傍に位置する。  
又、前記下段の各ローラー部材（２０）の間にもそれぞれ所定の距離離間する２つのガイドロッド（４０）が設けられると共に、該各ガイドロッド（４０）は、上段のローラー部材（２０）の近傍に位置する。  
尚、前記ガイドロッド（４０）は、ローラー部材（２０）と同一方向に回転するので、前記回路板（５０）を挟持しながら、該回路板（５０）をエッチングタンク（１０）の出口まで移動させることができる。
【００２０】
また、図２に示すように、本考案の第２実施例の構造は、前記第１実施例とほぼ同じであるが、前記各噴出装置（３０'）が、それと相隣するローラー部材（２０）の間で、各ローラー部材の軸方向と平行となるように設置されている点において異なる。
【産業上の利用可能性】
【００２１】
本考案は上記の構成を有するので、前記上段のローラー部材（２０）と下段のローラー部材（２０）との間に位置する回路板（５０）に向かって、前記ノズル（３１）からエッチング液が噴出し、エッチングタンク（１０）内のエッチング液が流動する時は、前記ガイドロッド（４０）により、エッチング液の流れを制御して、各ガイドロッド（４０）の間に流動させ、エッチング液により集中的に且つ均一的に回路板の銅箔（図示せず）にエッチングを施すことができ、結果的に、不要な銅箔の回路板への残留や、過度なエッチングを防ぎ、確実に良質な回路を形成することができる。
【図面の簡単な説明】
【００２２】
【図１】本考案に係る浸漬式回路板エッチング装置の第１実施例の側面断面図である。
【図２】本考案に係る浸漬式回路板エッチング装置の第２実施例の側面断面図である。
【図３】本考案に係る浸漬式回路板エッチング装置の第２実施例の部分側面断面図である。
【図４】本考案に係る浸漬式回路板エッチング装置の第１実施例の部分平面図である。
【図５】従来の浸漬式回路板エッチング装置の部分平面図である。
【符号の説明】
【００２３】
１０        エッチングタンク
１１        入口
１２        出口
１３        漏れ防止ローラー
２０        ローラー部材
２１        ローラー
３０        噴出装置
３０'        噴出装置
３１        ノズル
４０        ガイドロッド
５０        回路板
６０        ローラー部材
７０        ガイドロッド
７１        ノズル
【図１】
0003138771.tif 000003
【図２】
0003138771.tif 000004
【図３】
0003138771.tif 000005
【図４】
0003138771.tif 000006
【図５】
0003138771.tif 000007